【手続補正書】
【提出日】平成27年2月13日(2015.2.13)
【手続補正１】
【補正対象書類名】明細書
【補正対象項目名】００８５
【補正方法】変更
【補正の内容】
【００８５】
当業者には、本明細書に開示される具体的な例示的構造、特徴、詳細、構成等は、多くの実施形態において改変し、かつ／又は組み合わせることが可能である点は明らかであろう。そのような変形例及び組み合わせは全て、本発明者により、本考案の発明の範囲内にあるものと企図される。したがって、本発明の範囲は、本明細書に記載された特定の図示された構造に限定されるべきではなく、むしろ特許請求の範囲の言語によって記載された構造、並びにこれらの構造の均等物によるべきである。本明細書と参照により本明細書に組み込まれた任意の文書内の開示との間の不一致及び矛盾が存在する範囲において、本明細書は制御されるであろう。本発明の実施態様の一部を以下の項目［１］−［２１］に記載する。
[１]
第１の基材経路に沿って動く第１の基材の第１の表面上に流体を衝突させ、第２の基材経路に沿って動く第２の基材の第１の表面上に流体を衝突させ、かつ前記衝突した流体を局所的に除去する装置であって、
前記第１の基材経路に対して斜めに配向した長軸をともなう少なくとも１つの第１の流体送達出口と、
前記第１の流体送達出口に対して局所的に配置される少なくとも１つの第１の流体捕捉入口と、
前記第２の基材経路に対して斜めに配向した長軸をともなう少なくとも１つの第２の流体送達出口と、
前記第２の流体送達出口に対して局所的に配置される少なくとも１つの第２の流体捕捉入口と、を備え
前記少なくとも１つの第１の流体送達出口と前記少なくとも１つの第２の流体送達出口とが、分岐関係にある、装置。
[２]
前記少なくとも１つの第１の流体送達出口の前記長軸が、前記第１の基材経路に対してほぼ横断して配向され、前記少なくとも１つの第２の流体送達出口の前記長軸が、前記第２の基材経路に対してほぼ横断して配向される、項目１に記載の装置。
[３]
前記少なくとも１つの第１の流体送達出口の前記長軸が、前記第１の基材経路に対して横断して配向され、前記少なくとも１つの第２の流体送達出口の前記長軸が、前記第２の基材経路に対して横断して配向される、項目２に記載の装置。
[４]
前記少なくとも１つの第１の流体送達出口は、前記第１の基材経路と概して整列する長手方向の範囲を備え、かつ前記第１の基材経路に対して概して横断方向である横断方向の範囲を備え、これは前記少なくとも１つの第１の流体送達出口の前記長手方向の範囲より範囲が短く、前記少なくとも１つの第２の流体送達出口は、前記第２の基材経路と概して整列する長手方向の範囲を備え、かつ前記第２の基材経路に対して概して横断方向である横断方向の範囲を備え、これは前記少なくとも１つの第２の流体送達出口の前記長手方向の範囲より範囲が短い、項目３に記載の装置。
[５]
前記少なくとも１つの第１の流体送達出口は、局所的に配置される第１の流体捕捉入口によって、上向き経路及び下向き経路の両方を前記第１の基材経路に沿って長手方向側方に並べ、前記少なくとも１つの第２の流体送達出口は、局所的に配置される第２の流体捕捉入口によって、上向き経路及び下向き経路の両方を前記第２の基材経路に沿って長手方向側方に並べる、項目２に記載の装置。
[６]
前記装置は、前記第１の基材経路に沿って長手方向に離間された複数の第１の流体送達出口を備え、第１の流体捕捉入口は、前記第１の流体送達出口の間に長手方向に分散し、第１の流体捕捉入口は、前記第１の基材経路に沿って、前記複数の長手方向に離間された第１の流体送達出口を、上向き経路及び下向き経路の両方で長手方向側方に並べ、
前記装置は、前記第２の基材経路に沿って長手方向に離間された複数の第２の流体送達出口を更に備え、第２の流体捕捉入口は、前記第２の流体送達出口の間に長手方向に分散し、第２の流体捕捉入口は、前記第２の基材経路に沿って、前記複数の長手方向に離間された第２の流体送達出口を、上向き経路及び下向き経路の両方で長手方向側方に並べる、項目２に記載の装置。
[７]
前記第１の流体送達出口のうちの少なくともいくつかのうち、少なくともいくつかの長手方向に整列した部分、及び所望により前記第２の流体送達出口の少なくともいくつかの長手方向に整列した部分が、流れを閉塞される、項目６に記載の装置。
[８]
前記第１の流体送達出口の前記流れを閉塞された部分と長手方向で整列する、少なくとも前記長手方向に分散した第１の流体捕捉入口の部分が、流れを閉塞される、項目７に記載の装置。
[９]
前記少なくとも１つの第１の流体送達出口は、前記第１の基材経路に対して長手方向及び横断方向の両方で近接して延在する第１の流体送達マニホールドを備え、その領域の中に複数の別個の第１の流体捕捉入口が収容される、項目２に記載の装置。
[１０]
前記少なくとも１つの第１の流体捕捉入口は、前記第１の基材経路に対して長手方向及び横断方向の両方で近接して延在する第１の流体捕捉マニホールドを備え、その領域の中に複数の別個の第１の流体送達出口が収容される、項目２に記載の装置。
[１１]
前記流体送達出口のうちの少なくとも１つが、流体透過性シートを備える作業面を備える、項目２に記載の装置。
[１２]
前記流体透過性シートが、前記シートに２０％〜８０％の開口面積率を提供する、貫通開口部を有する不連続スクリーンを備える、項目１１に記載の装置。
[１３]
第１の基材経路に沿って動く第１の基材の第１の表面上に加熱流体を衝突させ、第２の基材経路に沿って動く第２の基材の第１の表面上に流体を衝突させ、かつ前記衝突した流体を局所的に除去する方法であって、
少なくとも１つの第１の流体送達出口及び前記第１の流体送達出口に対して局所的に配置される少なくとも１つの第１の流体捕捉入口を提供することと、
前記少なくとも１つの第１の流体送達出口の長軸が、第１の基材経路に対して斜めに配向され、かつ前記少なくとも１つの第１の流体送達出口から前記第１の移動基材の前記第１の主表面上に加熱流体を衝突させるように、前記第１の移動基材を、前記第１の基材経路に沿って前記少なくとも１つの第１の流体送達出口のそばを通すことと、
少なくとも１つの第２の流体送達出口及び前記第２の流体送達出口に対して局所的に配置される少なくとも１つの第２の流体捕捉入口を提供することと、
前記少なくとも１つの第２の流体送達出口の長軸が、第２の基材経路に対して斜めに配向され、かつ前記少なくとも１つの第２の流体送達出口から前記第２の移動基材の前記第１の主表面上に加熱流体を衝突させるように、前記第２の移動基材を、前記第２の基材経路に沿って前記少なくとも１つの第２の流体送達出口のそばを通すことと、
前記流体捕捉入口によって衝突した流体の総容積流量の少なくとも６０％を局所的に捕捉すること、及び前記局所的に捕捉した流体を前記流体捕捉入口に流体接続された流体除去チャネルを通して除去することを含み、
前記第１及び第２の移動基材が合流する基材である、方法。
[１４]
前記移動基材を取り囲む雰囲気からの周囲空気が、前記流体捕捉入口によって捕捉され、前記流体除去チャネルによって除去され、捕捉された周囲空気の体積流量が、前記局所的に捕捉された衝突した流体の前記体積流量の少なくとも約２０％である、項目１３に記載の方法。
[１５]
前記流体送達出口を通過する前記流体の公称速度がマッハ０．２未満である、項目１３に記載の方法。
[１６]
前記第１の移動基材の前記第１の表面と前記第２の移動基材の前記第１の表面とを相互に接触させ、前記第１の移動基材の前記第１の表面を前記第２の移動基材の前記第１の表面に結合させることを更に含む、項目１３に記載の方法。
[１７]
前記第１の移動基材の第２の主表面が第１の裏当てロールの第１の主表面に接触し、かつ前記第２の移動基材の第２の主表面が第２の裏当てロールの第２の主表面に接触し、前記少なくとも１つの第１の流体送達出口は、前記第１の裏当てロールの前記第１の主表面と概して相合である形状の長手方向弓状であり、前記少なくとも１つの第２の流体送達出口は、前記第２の裏当てロールの前記表面と概して相合である形状の長手方向弓状である、項目１３に記載の方法。
[１８]
前記少なくとも１つの第１の流体送達出口の前記長軸が、前記第１の基材経路に対して横断して配向され、前記少なくとも１つの第２の流体送達出口の前記長軸が、前記第２の基材経路に対して横断して配向される、項目１３に記載の装置。
[１９]
前記装置は、前記第１の基材経路に沿って長手方向に離間された複数の第１の流体送達出口を備え、第１の流体捕捉入口は、前記第１の流体送達出口の間に長手方向に分散し、第１の流体捕捉入口は、前記第１の基材経路に沿って、前記複数の長手方向に離間された第１の流体送達出口を、上向き経路及び下向き経路の両方で長手方向側方に並べ、
前記装置は、前記第２の基材経路に沿って長手方向に離間された複数の第２の流体送達出口を更に備え、第２の流体捕捉入口は、前記第２の流体送達出口の間に長手方向に分散し、第２の流体捕捉入口は、前記第２の基材経路に沿って、前記複数の長手方向に離間された第２の流体送達出口を、上向き経路及び下向き経路の両方で長手方向側方に並べる、項目１８に記載の装置。
[２０]
前記第１の流体送達出口のうちの少なくともいくつかのうちの、少なくともいくつかの長手方向に整列した部分、及び所望により前記第２の流体送達出口の少なくともいくつかの長手方向に整列した部分が、流れを閉塞される、項目１９に記載の装置。
[２１]
前記第１の流体送達出口の前記流れを閉塞された部分と長手方向で整列する、少なくとも前記長手方向に分散した第１の流体捕捉入口の部分が、流れを閉塞される、項目２０に記載の装置。
【手続補正２】
【補正対象書類名】特許請求の範囲
【補正対象項目名】全文
【補正方法】変更
【補正の内容】
【特許請求の範囲】
【請求項１】
第１の基材経路に沿って動く第１の基材の第１の表面上に流体を衝突させ、第２の基材経路に沿って動く第２の基材の第１の表面上に流体を衝突させ、かつ前記衝突した流体を局所的に除去する装置であって、
前記第１の基材経路に対して斜めに配向した長軸をともなう少なくとも１つの第１の流体送達出口と、
前記第１の流体送達出口に対して局所的に配置される少なくとも１つの第１の流体捕捉入口と、
前記第２の基材経路に対して斜めに配向した長軸をともなう少なくとも１つの第２の流体送達出口と、
前記第２の流体送達出口に対して局所的に配置される少なくとも１つの第２の流体捕捉入口と、を備え
前記少なくとも１つの第１の流体送達出口と前記少なくとも１つの第２の流体送達出口とが、分岐関係にある、装置。
【請求項２】
第１の基材経路に沿って動く第１の基材の第１の表面上に加熱流体を衝突させ、第２の基材経路に沿って動く第２の基材の第１の表面上に流体を衝突させ、かつ前記衝突した流体を局所的に除去する方法であって、
少なくとも１つの第１の流体送達出口及び前記第１の流体送達出口に対して局所的に配置される少なくとも１つの第１の流体捕捉入口を提供することと、
前記少なくとも１つの第１の流体送達出口の長軸が、前記第１の基材経路に対して斜めに配向され、かつ前記少なくとも１つの第１の流体送達出口から前記第１の移動基材の前記第１の主表面上に加熱流体を衝突させるように、前記第１の移動基材を、前記第１の基材経路に沿って前記少なくとも１つの第１の流体送達出口のそばを通すことと、
少なくとも１つの第２の流体送達出口及び前記第２の流体送達出口に対して局所的に配置される少なくとも１つの第２の流体捕捉入口を提供することと、
前記少なくとも１つの第２の流体送達出口の長軸が、前記第２の基材経路に対して斜めに配向され、かつ前記少なくとも１つの第２の流体送達出口から前記第２の移動基材の前記第１の主表面上に加熱流体を衝突させるように、前記第２の移動基材を、前記第２の基材経路に沿って前記少なくとも１つの第２の流体送達出口のそばを通すことと、
前記流体捕捉入口によって衝突した流体の総容積流量の少なくとも６０％を局所的に捕捉すること、及び前記局所的に捕捉した流体を前記流体捕捉入口に流体接続された流体除去チャネルを通して除去することを含み、
前記第１及び第２の移動基材が合流する基材である、方法。